(57)【要約】【課題】機器に電源を供給することができ、かつその機器の取り付けをクリップにより容易に行うことができ、さらに機器の付け替えも可能とするクリップ付きバッテリケースを提供する。【解決手段】一対の挟持片３１，３２を有するクリップ３０の一方の挟持片３２に、バッテリ５０を収納するバッテリケース４０を一体形成する。バッテリケース４０はバッテリ５０を電源とする機器との接続を担う汎用のインタフェースを具備する。インタフェースは例えば機器の接続部と組み合わされてヒンジを構成する接続機構４６と、その接続機構４６内に通されたハーネスとされる。【選択図】図１
2012138242.tif 000002
【特許請求の範囲】
【請求項１】
一対の挟持片を有するクリップの一方の挟持片に、バッテリを収納するバッテリケースが一体形成され、
前記バッテリケースは、前記バッテリを電源とする機器との接続を担う汎用のインタフェースを具備することを特徴とするクリップ付きバッテリケース。
【請求項２】
請求項１記載のクリップ付きバッテリケースにおいて、
前記バッテリケースは前記インタフェースを複数具備することを特徴とするクリップ付きバッテリケース。
【請求項３】
請求項１又は２記載のクリップ付きバッテリケースにおいて、
前記インタフェースは前記機器の接続部と組み合わされてヒンジを構成する接続機構と、その接続機構内に通されたハーネスとよりなることを特徴とするクリップ付きバッテリケース。
【請求項４】
請求項１又は２記載のクリップ付きバッテリケースにおいて、
前記インタフェースは外部端子とされていることを特徴とするクリップ付きバッテリケース。
【発明の詳細な説明】
【技術分野】
【０００１】
この発明はクリップにバッテリケースが一体形成されてなる構造のクリップ付きバッテリケースに関する。
【背景技術】
【０００２】
特許文献１には楽器調律用のチューナ（調律器）にクリップを付けることにより、楽器本体へのチューナの取り付けを容易に行えるようにしたクリップ付きチューナが記載されている。
【０００３】
図７はこの特許文献１に記載されているクリップ付きチューナの外観を示したものであり、図中、１１はクリップを示し、１２はチューナ本体を示す。チューナ本体１２はヒンジ部１３を介してクリップ１１に取り付けられており、これによりクリップ１１に対して矢印ａで示した前後方向に傾倒可能とされ、また矢印ｂで示した方向に回転可能とされている。
【０００４】
チューナ本体１２はその前面にディスプレイ１２ａを備えており、ディスプレイ１２ａの脇にはマイクロホン１２ｂが設けられている。また、この例ではマイクロホン１２ｂに加え、楽器本体の振動を直接検知するピエゾデバイス１４がクリップ１１に取り付けられた構成となっている。
【先行技術文献】
【特許文献】
【０００５】
【特許文献１】米国特許第７，０４９，５０２号明細書
【発明の概要】
【発明が解決しようとする課題】
【０００６】
ところで、例えば楽器の演奏に際しては、チューナを使用したり、メトロノームや照明器具を使用するといったことが行われ、これら機器の使用においては特に設置用の器具等を用意することなく、例えば楽器等に簡単に取り付けて固定することができれば便利である。上述したクリップ付きチューナはこの便利さを備えたものとなっている。
【０００７】
メトロノームや照明器具にも上述したクリップ付きチューナと同様にクリップを付ければ、クリップ付きチューナと同様、利便性は向上する。
【０００８】
一方、電子化された小型のチューナやメトロノーム等はいずれも電源としてバッテリ（電池）を使用し、バッテリを内蔵するものとなっており、また使用するバッテリも機器間で共通化するといったことが行われている。
【０００９】
このような状況において、この発明の目的は各種機器を接続することができる汎用のクリップ付きバッテリケースを提供することにある。
【課題を解決するための手段】
【００１０】
請求項１の発明によれば、一対の挟持片を有するクリップの一方の挟持片に、バッテリを収納するバッテリケースが一体形成され、バッテリケースはバッテリを電源とする機器との接続を担う汎用のインタフェースを具備するものとされる。
【００１１】
請求項２の発明では請求項１の発明において、バッテリケースはインタフェースを複数具備するものとされる。
【００１２】
請求項３の発明では請求項１又は２の発明において、インタフェースは機器の接続部と組み合わされてヒンジを構成する接続機構と、その接続機構内に通されたハーネスとよりなるものとされる。
【００１３】
請求項４の発明では請求項１又は２の発明において、インタフェースは外部端子とされる。
【発明の効果】
【００１４】
この発明によるクリップ付きバッテリケースによれば、インタフェースを共用する機器を接続することにより、その機器に電源を供給することができ、かつその機器の取り付けをクリップにより容易に行うことができる。
【００１５】
また、必要に応じて各種機器を付け替えることができるため、極めて便利なものとなる。
【００１６】
なお、接続される各種機器はバッテリの内蔵が不要となり、また個別にクリップを付けるといったことも不要となるため、各種機器の小型軽量化を図ることができ、かつ各種機器を安価に構成することができる。さらには各種機器のデザインの自由度を向上させることができる。
【図面の簡単な説明】
【００１７】
【図１】この発明によるクリップ付きバッテリケースの第１の実施例を示す斜視図。
【図２】図１に示したクリップ付きバッテリケースの分解斜視図。
【図３】図１に示したクリップ付きバッテリケースにチューナが取り付けられた状態を示す正面図。
【図４】図３におけるチューナの平面図。
【図５】この発明によるクリップ付きバッテリケースの第２の実施例及び機器の接続状態を示す斜視図。
【図６】この発明によるクリップ付きバッテリケースの第３の実施例及び機器の接続を説明するための図。
【図７】Ａは従来のクリップ付きチューナを示す正面図、Ｂはその側面図。
【発明を実施するための形態】
【００１８】
この発明の実施形態を図面を参照して実施例により説明する。
【００１９】
図１はこの発明によるクリップ付きバッテリケースの一実施例の構成を示したものであり、クリップ付きバッテリケース２０はクリップ３０とバッテリケース４０が一体形成された構成となっている。図中、５０はバッテリケース４０に収納されるバッテリを示す。なお、図１ではバッテリケース４０のカバーを取り外して示している。
【００２０】
図２は図１に示したクリップ付きバッテリケース２０を各部に分解して示したものである。クリップ３０は一対の挟持片３１，３２とスプリングピン３３とコイルスプリング３４とラバー３５とによって構成されている。
【００２１】
挟持片３１は図２に示したように湾曲された形状とされ、これに対し、挟持片３２は平板状とされている。これら挟持片３１，３２には互いに内向きに突出する各一対の連結部３１ａ及び３２ａが形成されており、これら連結部３１ａ，３２ａにはスプリングピン３３が挿通される穴３１ｂ，３２ｂがそれぞれ形成されている。
【００２２】
挟持片３１と３２は連結部３１ａと３２ａが互いに組み合わされ、穴３１ｂ，３２ｂにスプリングピン３３が挿通されることによって組み立てられ、この際、コイルスプリング３４がスプリングピン３３に挿通されてスプリングピン３３回りに配置される。ラバー３５は挟持片３１，３２の挟み込み側（連結部３１ａ，３２ａより先端側）において挟持片３１，３２の互いに対向する内面に貼り付けられて取り付けられる。このラバー３５は滑り止めとして機能する。
【００２３】
一方、バッテリケース４０はクリップ３０の一方の挟持片３２を共用し、この挟持片３２とケース４１とカバー４２と電極４３，４４とネジ４５とによって構成されている。
【００２４】
挟持片３２の上面には電極４３，４４が所要の位置に位置決めされて配置される。挟持片３２とケース４１とは２本のネジ４５により締結されて組み立てられ、互いに固定される。ケース４１にはカバー４２によって蓋される開口４１ａが形成されており、カバー４２は取り外し自在にケース４１に取り付けられる。ケース４１内にはバッテリ５０を収納する収納空間が構成される。
【００２５】
上記のような構成において、この例ではバッテリケース４０がヒンジを構成するための接続機構４６（図１参照）を具備するものとされる。この接続機構４６は挟持片３２の一端側（先端側）上面に突設された突設部３２ｃと、この突設部３２ｃと組み合わされるようにケース４１の一端側に突設された突設部４１ｂとによって構成されており、これら突設部３２ｃ，４１ｂの先端には互いに組み合わされて円筒状の軸４７（図１参照）を構成する断面円弧状の軸構成部３２ｄ，４１ｃが形成されている。軸構成部３２ｄ，４１ｃは図２に示したように、それぞれ突設部３２ｃ，４１ｂの両側面から互いに外向きに挟持片３２の板面と平行方向に突出されて形成されており、これにより図１に示したように接続機構４６は互いに外向きに突出する軸４７をその両側面に有するものとされる。
【００２６】
図３はこのような構成を有するクリップ付きバッテリケース２０にチューナ６１が取り付けられた状態を示したものであり、チューナ６１が具備する接続部とバッテリケース４０に形成された接続機構４６によってヒンジ７１が構成されており、このヒンジ７１によりチューナ６１は矢印ｃで示した方向に回動可能とされている。なお、チューナ６１への電源の供給は接続機構４６内に通され、つまりヒンジ７１内に通されたハーネス（図示せず）によって行われる。
【００２７】
図４は図３においてクリップ付きバッテリケース２０に取り付けられたチューナ６１を正面から見た状態を示したものであり、チューナ６１は正面にディスプレイ６１ａを備えたものとなっている。
【００２８】
図５は相手方機器の接続部と組み合わされてヒンジ７１を構成する接続機構４６を２つ備えたクリップ付きバッテリケース２０’を示したものであり、この例では１つのクリップ付きバッテリケース２０’に２つの機器を取り付けることができ、それら２つの機器にそれぞれ電源を供給することができるものとなっている。図５ではクリップ付きバッテリケース２０’にはチューナ６１とメトロノーム６２が取り付けられている。
【００２９】
なお、図３ではクリップ付きバッテリケース２０にチューナ６１が取り付けられ、図５ではクリップ付きバッテリケース２０’にチューナ６１とメトロノーム６２が取り付けられたものとなっているが、取り付ける機器はこれらに限らず、ヒンジ７１を構成する接続部を有する各種機器を取り付けることができる。
【００３０】
上述した例ではバッテリケース４０はバッテリ５０を電源とする機器との接続を担う汎用のインタフェースとして、相手方機器の接続部と組み合わされてヒンジ７１を構成する接続機構４６と、その接続機構４６内に通されたハーネスとを備えるものとなっているが、これに替え、汎用のインタフェースとして外部端子を具備するものとしてもよく、さらには電磁誘導を用いる非接触タイプとしてもよい。
【００３１】
図６は外部端子を具備するクリップ付きバッテリケース２０’’の構成を示したものであり、外部端子７２はピン端子とされている。外部端子７２はバッテリケース４０の上面の一端側に突設されている。
【００３２】
外部端子７２を相手方機器の例えば底面に設けられた接続部に挿入接続することにより、外部端子７２を介して相手方機器に電源を供給することができる。図６ではこのようにしてクリップ付きバッテリケース２０’’に取り付けられる各種機器として、チューナ６１、メトロノーム６２、ＬＥＤライト６３、無線送信機６４及び無線受信機６５を模式的に示している。なお、無線送信機６４はこの例ではマイクロホンを備え、収音した音を送信するものとされ、無線受信機６５は受信した音と基準ピッチとの差を測定・表示するチューナ機能を有するものとされる。
【００３３】
外部端子７２が挿入接続された相手方機器は例えばその底面が外部端子７２が突設されている部分（バッテリケース４０のケース４１）に形成された基台部分４１ｄに設置搭載される。
【００３４】
なお、図６では外部端子７２が相手方機器の接続部に直接挿入接続されるものとなっているが、例えばグースネック（支柱）を介して機械的・電気的に接続するといった方法も採用することができる。
【符号の説明】
【００３５】
２０，２０’，２０’’  クリップ付きバッテリケース    ３０  クリップ
３１，３２  挟持片                                ４０  バッテリケース
４６  接続機構                                    ４７  軸
６１  チューナ                                    ６２  メトロノーム
７１  ヒンジ                                      ７２  外部端子
【図１】
2012138242.tif 000003
【図２】
2012138242.tif 000004
【図３】
2012138242.tif 000005
【図４】
2012138242.tif 000006
【図５】
2012138242.tif 000007
【図６】
2012138242.tif 000008
【図７】
2012138242.tif 000009